(57)【要約】      （修正有）【課題】園芸工具に係り、操作に便利な省力シャベル構造を提供する。【解決手段】土砂すくい板１と、枢接座２と、踏み掛け板３と、連接杆４と、把持取手５と、操縦組立体６とを備えて構成され、その操縦組立体６は、操作杆６１と、係止保持具６２とを有し、操作杆６１の末端が連接杆４を穿設貫通した後、枢接座２に組み付けられると同時に、位置決めを行い、操作杆６１の先端を連接杆４と把持取手５との間から突出させることで引っ張ることができ、操作杆６１を上向きに変位させると共に、それと連動して係止保持具６２がこの位置決めから離脱し、踏み掛け板３上に足で力を加えることで、土砂すくい板１を連接杆４に対して回動可能にして砂土を掘り返したり、続いて連接杆４を手で掴みながら、把持取手５上に力を加えることで、砂土をすくい取ったりして、手足に合わせて、容易に力を加えて操作することができる。【選択図】図１
0003209785.tif 000002
【実用新案登録請求の範囲】
【請求項１】
土砂すくい板と、枢接座と、踏み掛け板と、連接杆と、把持取手と、操縦組立体とを備える省力シャベル構造であって、
前記土砂すくい板は、扁平弧形状の片状体を呈して設けられ、その末端が先細り部を呈して土壌または土塊群中に深く入り込み、
前記枢接座は、前記土砂すくい板の先端に設置され、その上に複数の位置決め部が設けられ、前記枢接座の前記土砂すくい板に対向する他端に前記踏み掛け板が延設され、
前記連接杆は、中空杆体を呈して設けられ、その中心に通孔を有し、その末端が前記枢接座上に軸枢支され、その先端が前記把持取手に連結され、
前記操縦組立体は、操作杆と、係止保持具とを有し、前記操作杆の末端が前記連接杆の前記通孔を穿設貫通した後、前記係止保持具に組み付けられ、かつ前記係止保持具を前記枢接座の任意の１つの当該位置決め部に係入して位置決めし、前記操作杆の先端を前記連接杆と前記把持取手との間から突出させることを特徴とする、省力シャベル構造。
【請求項２】
前記枢接座は、Ｕ形座体を呈して設けられ、２つの側片と、前記２つの側片の間の収容窪み空間とを有し、また前記複数の位置決め部には前記２つの側片の外周側に沿って内向き凹状を呈する複数の凹孔が設けられ、
前記連接杆は、末端にブロック体が接合され、前記ブロック体の中心にねじ棒の尾部の外ねじ山と螺接可能な内ねじ孔が取り付けられ、前記ねじ棒の頭部を前記収容窪み空間内に差し込むと共に、第１枢接組立体の第１ボルトの貫通により前記枢接座に枢接して第１ナットにより螺設し、前記ねじ棒の中心に穿孔が設けられ、その径方向に前記穿孔と連通する長条孔が設けられ、
前記操縦組立体は、前記操作杆が前記連接杆の前記通孔と、前記ねじ棒の前記穿孔とを穿設貫通した後、前記長条孔外に穿設して横貫される前記係止保持具に組み付けられることを特徴とする、請求項１に記載の省力シャベル構造。
【請求項３】
前記ねじ棒の尾部を前記連接杆の前記通孔内に嵌挿すると共に、少なくとも１つの第２枢接組立体の第２ボルトの貫通により組み付けて第２ナットにより螺設し、前記操縦組立体は、さらにばねを有し、前記操作杆が前記ねじ棒の前記穿孔に挿入した後、まず前記ばねを嵌装してから、前記係止保持具に組み付けられ、前記ばねの両端をそれぞれ前記係止保持具と当該第２枢接組立体とに当接することで、前記係止保持具が常に任意の１つの当該位置決め部に陥入するように保持されることを特徴とする、請求項２に記載の省力シャベル構造。
【請求項４】
前記操作杆の末端に１節の外ねじ山が設けられ、前記係止保持具は、その径方向に内ねじ孔が穿設されて、前記操作杆がその外ねじ山と螺合締付けるように供され、前記操作杆の先端がＴ字状を呈して設けられ、前記把持取手が概ね三角形状を呈して設けられ、前記操作杆の先端のＴ字状部位が三角形の中へ突設されることを特徴とする、請求項３に記載の省力シャベル構造。
【考案の詳細な説明】
【技術分野】
【０００１】
本考案は、園芸工具に係り、特に、操作に便利であり、かつ容易に力を加えることができる、省力シャベル構造に関する。
【背景技術】
【０００２】
一般的によく見られる従来のシャベルは、シャベル全体が土砂すくい板と、連接杆と、把持取手とを備えて一体的に固装されると共に、一直線を呈するように設計され、使用者が両手で前記連接杆と、前記把持取手とを掴んで、まず垂直に土壌または土塊群中に打ち込んだ後、それから力を加えて土砂すくい板の掘取作動を少なくとも角度の範囲を９０度超えると共に、なおかつ土壌間の粘着力及び土壌自身の重力に抗して土砂などをすくい取ることができるが、従来のシャベルに力を加える方式は、往々にして使用者の両手で力をかけるように行うのが通常であり、非常に労力を要し、容易でないと共に、操作も極めて非能率的であり、実用性を有しないため、依然として改善の余地があった。
【考案の概要】
【考案が解決しようとする課題】
【０００３】
本考案の目的は、前述した従来技術の問題点を十分に解決し得るように、力を加える方式を変更したり、手足に合わせて力を加えたりすることにより、操作に便利であり、かつ容易に力を加えることができる、省力シャベル構造を提供することにある。
【課題を解決するための手段】
【０００４】
そこで、上記の目的と作用効果を達成するために、本考案に係る省力シャベル構造は、土砂すくい板と、枢接座と、踏み掛け板と、連接杆と、把持取手と、操縦組立体とを備える。土砂すくい板は、扁平弧形状の片状体を呈して設けられ、その末端が先細り部を呈して土壌または土塊群中に深く入り込むことができる。枢接座は、前記土砂すくい板の先端に設置され、その上に複数の位置決め部が設けられ、前記枢接座の前記土砂すくい板に対向する他端に踏み掛け板が延設される。連接杆は、中空杆体を呈して設けられ、その中心に通孔を有し、その末端が前記枢接座上に軸枢支され、その先端が把持取手に連結される。操縦組立体は、操作杆と、係止保持具とを有し、前記操作杆の末端が前記連接杆の通孔を穿設貫通した後、前記係止保持具に組み付けられ、かつ前記係止保持具を前記枢接座の任意の１つの当該位置決め部に係入して位置決めし、前記操作杆の先端を前記連接杆と前記把持取手との間から突出させることで引っ張ることができ、前記操作杆を上向きに変位させると共に、それと連動して前記係止保持具が前記位置決め部から離脱し、前記踏み掛け板上に足で力を加えることで、前記土砂すくい板を前記連接杆に対して回動可能にして砂土を掘り返したり、続いて前記連接杆を手で掴みながら、前記把持取手上に力を加えることで、砂土をすくい取ったりして手足に合わせて力を加える方式を変更することにより、容易に力を加えて操作することができる機能が達成される。
【図面の簡単な説明】
【０００５】
【図１】本考案のシャベルの斜視分解図である。
【図２】本考案のシャベルの斜視組立図である。
【図３】図１の部分的組立断面図である。
【図４】本考案のシャベルの使用動作図である。
【図５】本考案のシャベルの使用動作図である。
【図６】本考案のシャベルの使用動作図である。
【考案を実施するための形態】
【０００６】
図１〜図６に示すように、本考案に係る省力シャベル構造は、土砂すくい板１と、枢接座２と、踏み掛け板３と、連接杆４と、把持取手５と、操縦組立体６とを備える。土砂すくい板１は、扁平弧形状の片状体を呈して設けられ、その末端が先細り部１１を呈して土壌または土塊群中に深く入り込むことができる。枢接座２は、前記土砂すくい板１の先端に設置され、その上に複数の位置決め部２１が設けられ、前記枢接座２の前記土砂すくい板１に対向する他端に踏み掛け板３が延設される。連接杆４は、中空杆体を呈して設けられ、その中心に通孔４１を有し、その末端が前記枢接座２上に軸枢支され、その先端が把持取手５に連結される。操縦組立体６は、操作杆６１と、係止保持具６２とを有し、前記操作杆６１の末端が前記連接杆４の通孔４１を穿設貫通した後、前記係止保持具６２に組み付けられ、かつ前記係止保持具６２を前記枢接座２の任意の１つの当該位置決め部２１に係入して位置決めし、前記操作杆６１の先端を前記連接杆４と前記把持取手５との間から突出させることで引っ張ることができ、前記操作杆６１を上向きに変位させると共に、それと連動して前記係止保持具６２が前記位置決め部２１から離脱し、前記踏み掛け板３上に足で力を加えることで、前記土砂すくい板１を前記連接杆４に対して回動可能にして砂土を掘り返したり、続いて前記連接杆４を手で掴みながら、前記把持取手５上に力を加えることで、砂土をすくい取ったりして手足に合わせて力を加える方式を変更することにより、容易に力を加えて操作することができる機能が達成される。
【０００７】
上述したように、前記枢接座２は、Ｕ形座体を呈して設けられ、２つの側片２２と、２つの側片２２の間の収容窪み空間２３とを有し、また複数の位置決め部２１には２つの側片２２の外周側に沿って内向き凹状を呈する複数の凹孔が設けられる。前記連接杆４は、末端にブロック体４２が接合され、ブロック体４２の中心にねじ棒４３の尾部の外ねじ山４３１と螺接可能な内ねじ孔４２１が取り付けられ、前記ねじ棒４３の頭部を前記収容窪み空間２３内に差し込むと共に、第１枢接組立体８の貫通により前記枢接座２に枢接して、前記ねじ棒４３の中心に穿孔４３２が設けられ（図３参照）、その径方向に前記穿孔４３２と連通する長条孔４３３が設けられる。前記操縦組立体６は、その操作杆６１が前記連接杆４の通孔４１と、前記ねじ棒４３の穿孔４３２とを穿設貫通した後、前記長条孔４３３外に穿設して横貫される前記係止保持具６２に組み付けられる。図４に示すように、前記操作杆６１を上向きに引っ張る時、前記係止保持具６２を前記長条孔４３３内に上向きに変位させ、かつ本来係入した前記位置決め部２１から離脱し、結果として、前記土砂すくい板１と、前記踏み掛け板３と、前記連接杆４との連結状態が解除されると、記土砂すくい板１と、前記踏み掛け板３とは、前記第１枢接組立体８を中心として前記連接杆４に対して回動可能にすることができる（図５参照）。また、前記ねじ棒４３の尾部を前記連接杆４の通孔４１内に嵌挿すると共に、少なくとも１つの第２枢接組立体９の貫通により組み付ける。
【０００８】
なお、前記操縦組立体６は、さらにばね６３を有し、前記操作杆６１が前記ねじ棒４３の穿孔４３２に挿入した後、まず前記ばね６３を嵌装してから、前記係止保持具６２に組み付けられ、前記ばね６３の両端をそれぞれ前記係止保持具６２と当該第２枢接組立体９とに当接することで、前記係止保持具６２が常に任意の１つの当該位置決め部２１に陥入するように保持されて強固な係合作用を有するので、前記連接杆４と前記土砂すくい板１との連結状態が確保される。前記操作杆６１の末端に１節の外ねじ山６１１が設けられ、前記係止保持具６２は、その径方向に内ねじ孔６２１が穿設されて、前記操作杆６１がその外ねじ山６１１と螺合締付けるように供される。前記操作杆６１の先端がＴ字状６１２を呈して設けられる。前記把持取手５が概ね三角形状を呈して設けられ、前記操作杆６１の先端のＴ字状６１２部位が三角形の中へ突設される。これによって、使用者が容易に手で前記把持取手５を掴持することで、その中の２本の手指でそれぞれのＴ字状６１２部位の両側を握持すると、前記操作杆６１を上向きに偏移するように操作する。
【０００９】
ほかに、前記第１枢接組立体８は、第１ボルト８１と、第１ナット８２とを具備し、また前記ねじ棒４３の頭部上に第２円孔４３４が設けられ、前記枢接座２の２つの側片２２上にも各自に第１円孔２２１に対応して穿設され、前記第１ボルト８１の貫通後、第１ナット８２で緊締するように供される。前記少なくとも１つの第２枢接組立体９は、第２ボルト９１と、第２ナット９２とを具備し、本実施例では、２組の第２枢接組立体９が設けられ、また２つの第２ボルト９１により前記連接杆４の２つの第３円孔４３５と、前記ねじ棒４３上の２つの第４円孔４３６とを枢着貫通した後、２つの第２ナット９２で緊締する。勿論、枢接作用が達成されれば、本実施例の明細書に述べた第１ボルトと第２ボルト、及び第１ナットと第２ナットの構造に限定されるものではない。
【産業上の利用可能性】
【００１０】
以上に述べた本考案の省力シャベル構造によれば、使用時、図６に示すように、前記土砂すくい板１は、その先細り部１１が土壌または土塊群中に深く入り込んでから、手で前記把持取手５を掴持することで、前記手の中の２本の手指で前記操作杆６１のＴ字状６１２部位の両側を握持すると、前記操作杆６１を上向きに引き伸ばすように操作することで、前記係止保持具６２をそれにつれて上向きに変位させ、前記位置決め部２１から離脱してから、前記踏み掛け板３上に足で力を加え、体重Ｗを載せることで前記土砂すくい板１を前記連接杆４に対して回動させる時、その機に乗じて砂土を掘り起こしたり堀り返したりして、その後、前記操作杆６１のＴ字状６１２部位に対する拘持力を取り戻すと、前記ばね６３の復元作用力により、前記操作杆６１のＴ字状６１２部位を改めて位置決め部２１内に係入するので、前記連接杆４と前記土砂すくい板１との連結状態が確保され、手軽に手で前記連接杆４と、前記把持取手５とを掴みながら、前記土砂すくい板１上の砂土を堀り取ることができ、手、足を介して力を加える方式を変更することにより、操作にさらに便利で省力的であり、かつ容易に行うことができる目的が達成される。
【符号の説明】
【００１１】
１：土砂すくい板
１１：先細り部
２：枢接座
２１：位置決め部
２２：側片
２２１：第１円孔
２３：収容窪み空間
３：踏み掛け板
４：連接杆
４１：通孔
４２：ブロック体
４２１：内ねじ孔
４３：ねじ棒
４３１：外ねじ山
４３２：穿孔
４３３：長条孔
４３４：第２円孔
４３５：第３円孔
４３６：第４円孔
５：把持取手
６：操縦組立体
６１：操作杆
６１１：外ねじ山
６１２：Ｔ字状
６２：係止保持具
６２１：内ねじ孔
６３：ばね
８：第１枢接組立体
８１：第１ボルト
８２：第１ナット
９：第２枢接組立体
９１：第２ボルト
９２：第２ナット
【図１】
0003209785.tif 000003
【図２】
0003209785.tif 000004
【図３】
0003209785.tif 000005
【図４】
0003209785.tif 000006
【図５】
0003209785.tif 000007
【図６】
0003209785.tif 000008